【事件の表示】
　特許第３１６３０５６号「投写装置」の請求項１に係る特許に対する特許異議の申立てについて、次のとおり決定する。
【結　論】
　訂正を認める。
　特許第３１６３０５６号の請求項１に係る特許を維持する。
【理　由】
１．手続の経緯
　本件特許第３１６３０５６号の請求項１に係る発明についての出願は、平成１０年２月２６日に特許出願され、平成１３年２月２３日にその発明について特許の設定登録がなされ、その後、その特許について異議申立人原田清悟及び同杉浦一子よりそれぞれ特許異議の申立てがなされ、取消理由が通知され、その指定期間内である平成１４年３月２５日に訂正請求がなされたものである。
２．訂正の適否についての判断
ア．訂正の内容
ａ．特許請求の範囲の請求項１において、「調整機構（５）は、シャーシ（３）に固定される固定枠（１）と・・・・移動する可動枠とを具え、」とあるのを、
　「調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具え、
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動し、」
と訂正する。
ｂ．明細書の【０００５】において、「投写装置は、・・・・液晶パネル（７ｂ）に入射させる。」とあるのを、
　「投射装置は、シャーシ（３）上に、光源（３５）と、スクリーンに光を照写する投写レンズ（６７）と、投写レンズ（６７）よりも光源（３５）寄りに配備された液晶パネル（７ｂ）と、光源（３５）からの光路上に位置し、光をＲ、Ｇ、Ｂに分光するダイクロイックミラー（４５）（４６）と、Ｒ、Ｇ、Ｂの光路の内、他の光に比して光路長が長い一の光路上にて、ダイクロイックミラー（４６）と投写レンズ（６７）の間に配備され、該光を集光して投写レンズ（６７）に到達させるリレーレンズ（８）を設けている。
　シャーシ（３）上に、リレーレンズ（８）を光路と直交する垂直面内にて移動させる調整機構（５）を取り付け、
　調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具えている。
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動する。
　リレーレンズ（８）の調整移動により、液晶パネル（７ｂ）上の必要最小照射範囲に対応した照明光を液晶パネル（７ｂ）に入射させる。」
と訂正する。
ｃ．明細書の【００１０】において、「第２可動枠（６）の透孔（６２）に調整ビス（４）が嵌まる。」とあるのを、
　「第２可動枠（６）の透孔（６２）に、頭部が上を向いた調整ビス（４）が嵌まる。」
と訂正する。
ｄ．明細書の【００１１】において、「リレーレンズ（８）を左右に移動するには、・・・・治具を差し込む。」とあるのを、
　「リレーレンズ（８）を左右に移動するには、第１可動枠（２）と固定枠（１）を締結しているビス（５０）（５０）を緩め、第１可動枠（２）の凹み（２５）と、調整孔（１４）の間にマイナスドライバ等の治具を上から差し込む。」
と訂正する。
イ．訂正の目的の適否、新規事項の有無及び拡張・変更の存否
　上記訂正事項ａは、明細書の【０００８】、【００１０】、【００１１】及び図６、図７（ａ）、（ｂ）の記載に基づいて、２つの可動枠の移動及び調整の形態について構成を限定するものであるから、特許請求の範囲の減縮に該当し、新規事項の追加に該当せず、また、実質上特許請求の範囲を拡張し、又は変更するものでもない。
　上記訂正事項ｂは、訂正事項ａとの整合を図るために、明細書の【０００８】、【００１０】、【００１１】及び図６、図７（ａ）、（ｂ）の記載に基づいて、明細書の【０００５】の記載を訂正するものであるから、明りょうでない記載の釈明に該当し、新規事項の追加に該当せず、また、実質上特許請求の範囲を拡張、又は変更するものでもない。
　上記訂正事項ｃは、図５、図６及び図７（ａ）、（ｂ）の記載に基づいて、明細書の【００１０】の記載を訂正するものであるから、明りょうでない記載の釈明に該当し、新規事項の追加に該当せず、また、実質上特許請求の範囲を拡張、又は変更するものでもない。
　上記訂正事項ｄは、図５、図６及び図７（ａ）、（ｂ）の記載に基づいて、明細書の【００１０】の記載を訂正するものであるから、明りょうでない記載の釈明に該当し、新規事項の追加に該当せず、また、実質上特許請求の範囲を拡張、又は変更するものでもない。
ウ．結論
　以上のとおりであるから、上記訂正は、特許法第１２０条の４第２項の規定及び同条第３項において準用する特許法第１２６条第２項及び第３項の規定に適合するので、当該訂正を認める。
３．特許異議申立てについて
ア．本件発明
　本件の請求項１に係る発明（以下、本件発明という）は、平成１４年３月２５日付けで提出された訂正明細書の特許請求の範囲の請求項１に記載された事項により特定される次のとおりのものである。
　「シャーシ（３）上に、光源（３５）と、スクリーンに光を照射する投写レンズ（６７）と、投写レンズ（６７）よりも光源（３５）寄りに配備された液晶パネル（７ｂ）と、光源（３５）からの光路上に位置し、光をＲ、Ｇ、Ｂに分光するダイクロイックミラー（４５）（４６）と、Ｒ、Ｇ、Ｂの光路の内、他の光に比して光路長が長い一の光路上にて、ダイクロイックミラー（４６）と投写レンズ（６７）の間に配備され、該光を集光して投写レンズ（６７）に到達させるリレーレンズ（８）を設けた投写装置に於いて、
　シャーシ（３）上に、リレーレンズ（８）を光路と直交する垂直面内にて移動させる調整機構（５）を取り付け、
　調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具え、
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動し、
　リレーレンズ（８）の調整移動により、液晶パネル（７ｂ）上の必要最小照射範囲に対応した照明光を液晶パネル（７ｂ）に入射させることを特徴とする投写装置。」
イ．申立ての理由の概要
　特許異議申立人原田清悟は、甲第１号証及び参考資料１〜４を提出して、本件発明は、甲第１号証刊行物に記載された発明であって、特許法第２９条第１項第３号の規定に該当し、また、甲第１号証刊行物に記載された発明に基づいて当業者が容易に発明をすることができたものであって、特許法第２９条第２項の規定に違反して特許されたものであるから、その特許は取り消されるべきものである旨、また、本件に関し、平成１２年１２月２８日付けで提出された手続補正書による補正は、本件発明についての特許出願の際の願書に最初に添付した明細書または図面に記載された事項の範囲内のものではないので、この補正は、特許法第１７条の２第３項に規定する要件を満たしていない旨、主張する。
　特許異議申立人杉浦一子は、甲第１〜３号証を提出して、本件発明は、甲第１〜３号証刊行物に各々記載された発明に基づいて当業者が容易に発明をすることができたものであって、特許法第２９条第２項の規定に違反して特許されたものであるから、その特許は取り消されるべきものである旨主張する。
ウ．甲各号証刊行物等に記載された発明
　特許異議申立人原田清悟が提出した甲第１号証刊行物及び参考資料１〜４には、それぞれ以下の事項が記載されている。
甲第１号証刊行物：欧州特許出願公開第８２５４７２号（ＥＰ０８２５４７２Ａ２、以下、刊行物１という）
　この欧州特許出願公開は、その欧州特許出願の優先権の基礎となる日本国の特許出願が公開されたものである特開平１０−１１５８０３号公報（参考資料１）の内容と対応するものであるから、参考資料１及び甲第１号証刊行物の抄訳を参酌すると、甲第１号証刊行物には、次のことが記載されている。
　「図１は本発明の一実施例の投写型表示装置の外観である。投写型表示装置１０００は光源からの出射光から、インテグレータ光学系及び色分離光学系を介して赤、青、緑の色光束を取り出し、各色の光束を対応して配置された液晶ライトバルブに導き、カラー画像信号に応じて変調し、変調された３色の光束を色合成光学系を介して合成して、投写スクリーン上に拡大投写する。」（第５頁第７欄第１９〜３１行）
　「図４は光学ユニット９に組み込まれている光学系を概略的に示している。・・・・放電ランプ８１からの出射光はリフレクター８２の反射面８２１によって平行光束の形で反射され、第１のレンズ板９２１に向かい、その光束が２次光源像として第２レンズ板を構成する各レンズの入射面に向かい、この２次光源像が重畳レンズ９３０を介して被照明対象物上に重畳される。より詳細には、液晶ライトバルブ９２５Ｒ、９２５Ｇ及び９２５Ｂの画像形成領域が照明される。
　色分離光学系９２４は、青緑反射ダイクロイックミラー９４１と、緑反射ダイクロイックミラー９４２と、反射ミラー９４３からなる。」（第５頁第８欄第３０行〜第６頁第９欄第１８行）
　「図６（Ａ）〜６（Ｃ）は、重畳レンズ９３０の取付位置を上下左右に微調整するための機構の一例を示している。・・・・重畳レンズ９３０が取り付けられたレンズ取付位置調整機構７００は、下ライトガイド９０２にねじ止めされる下ベース板７１０が設けられている。下ベース板７１０にレンズ調整ベース板（ベース調整板）７２０が光路に直交する状態で固定されている。レンズ調整ベース板７２０は垂直壁７２１及び水平壁７２２を有し、・・・・垂直壁７２１は、これと平行な状態でレンズ垂直調整板（第１の調整板）７３０を支持している。・・・・レンズ垂直調整板７３０の下フランジ７３１ａ、７３１ｂは、下ベース板７１０における位置合せばね７３５によって支持され、上フランジ７３２は、レンズ調整ベース板７２０の上フランジ７２２に取り付けられた調整ねじ７３６により下方に押圧されている。調整ねじ７３６のねじ込み量を調整することによって、レンズ垂直調整板７３０がレンズ調整ベース板７２０に対して垂直方向上下（±Ｙ方向）に移動する。・・・・
　レンズ垂直調整板７３０は、これと平行な状態でレンズ水平調整板（第２の調整板）７４０を支持している。・・・・調整ねじ７４６のねじ込み量を調整することによって、レンズ水平調整板７４０がレンズ垂直調整板７３０に対して水平方向左右（±Ｘ方向）に移動する。・・・・
　重畳レンズ９３０がレンズ水平調整板７４０に、概略その中心部分に位置するように固定されている。」（第７頁第１１欄第３行〜第１２欄第２０行）
　「微調整を行う際、反射ミラー９４３及び９７２を同時に移動させてもよいが、例えば液晶ライトバルブ９２５Ｒによる投写画像あるいは画像形成領域を基準として用いて反射ミラー９４３を移動調整し、次に、液晶ライトバルブ９２５による投写画像あるいは画像形成領域を基準として用いて反射ミラー９７２を移動調整するというように、微調整を順次行うようにしてもよい。・・・・
　反射ミラー９７２の代わりに、中間レンズ９７３を調整可能であるようにしてもよく、この形態により反射ミラー９７２が微調整される場合と同様の効果が得られる。」（第１０頁第１８欄第１３〜４０行）
　「投写型表示装置２０００において、各色の光束の光路上における反射ミラー９４３、９７２の反射面の角度は入射光軸及び反射光線を含む面に垂直な軸の回りに（図９の矢印方向）入射軸に対して微調整されるようにしてもよい。反射ミラー９４３、９７２間に配置された中間レンズ９７３の取付位置は上下及び左右に調整されるようにしてもよい。各反射ミラーの取付角度を調整するための機構は図８を参照して説明した角度調整機構であり、図６を参照して説明した取付位置調整機構を中間レンズ９７３の取付位置調整機構として用いることができる。」（第１４頁第２６欄第３〜１９行）
　また、図３及び図４には光学ユニットの概略が示され、図６にはレンズ取付位置調整機構が示されている。
参考資料２：特開平６−１１００３２号公報
　液晶プロジェクタにおいて各液晶モジュールを投写レンズのバックフォーカス位置に一致させるための液晶モジュール位置調整機構について記載されており、この位置調整機構においては、フレームに支持されたベース板に締着されたＸ軸地調整板取付ベース板にＸ軸調整板がＸ軸方向に移動可能に支持され、Ｘ軸調整板には液晶モジュールが取り付けられるＹ軸調整板がＹ軸方向に移動可能に支持され、Ｘ軸調整ねじの回動によりカムレバーを介してＸ軸調整板がＸ軸方向に移動し、Ｙ軸調整ねじの回動によりＹ軸調整板がＹ軸方向に移動し、調整ねじ方向は同じ方向になっていることが示されている。
参考資料３：特開平８−９５０１３号公報
　反射型の液晶デバイス等からなる表示デバイスにおいて各液晶パネルを精密に調整する位置あわせ機構について記載されており、この位置合わせ機構は、Ｘ軸ステージ、θ軸ステージ、調整部材、Ｙ軸ステージ、Ｚ軸ステージ、ベースステージを有し、同一方向に向けて配置されたＸ軸、θ軸、Ｙ軸、Ｚ軸各方向の調整を行う調整ねじにより液晶パネルの調整作業が同一方向から行われることが示されている。
参考資料４：特開平９−６１７８２号公報
　液晶プロジェクタ等の投写装置において液晶パネルの上下左右移動及び回転を調整する調整機構について記載されており、この調整機構においては、液晶パネルを支持する可動枠が固定枠に上下左右移動及び回転自在に支持され、固定枠に上下調整のための調整ビスと左右調整のための回転自在な偏心シャフトが設けられ、調整ビスの先端側は可動枠に螺合し、可動枠側の支持板に偏心シャフトの径に略等しい幅の調整孔が開設され、この調整孔に固定枠側の偏心シャフトが係合しており、可動枠は調整ビスの回転により上下に調整され、偏心シャフトの回転により左右に調整されることが示されている。
　特許異議申立人杉浦一子が提出した甲第１〜３号証刊行物には、それぞれ次の事項が記載されている。
甲第１号証刊行物：特開平３−６２０８６号公報（以下、刊行物２という）
　「・・・・第１図〜第３図を参照しながら、本発明の第１実施例について説明する。・・・・光源１０の光放射側には、赤外線カット用のフィルタ１２が配置されている。このフィルタ１２の光透過側には、青色ダイクロイックミラー１４が設けられており、この青色ダイクロイックミラー１４の光反射側であって青色用液晶ライトバルブ１８の入射側には、反射鏡１６が配置されている。
　次に、青色ダイクロイックミラー１４の光透過側には、緑色ダイクロイックミラー２０が設けられている。この緑色ダイクロイックミラー２０の光反射側には、緑色用液晶ライトバルブ２２が配置されており、緑色ダイクロイックミラー２０の光透過側には、反射鏡２４，２６を介して赤色用液晶ライトバルブ２８が配置されている。
　各液晶ライトバルブ１８，２０，２８は色合成用ダイクロイックプリズム３０の入射側に各々配置されており、その合成画像出力側には、投写レンズ３２，スクリーン３４が各々配置されている。
　次に、反射鏡２４，２６間であって、赤色光の光路上には、画像中央部の赤色光の光量を増大して輝度を高める凸レンズ１００と、・・・・透過光量調整部材１０２が各々設けられている。」（第４頁左上欄第１９行〜左下欄第７行）
　「・・・・本発明によれば、各色光の光路長差等によって生ずる輝度分布差を、凸レンズ、凹レンズ、透過光量調整部材などの光量調整手段を組合わせて調整することとしたので、合成画像の色ムラが良好に低減されるという効果がある。」（第７頁左上欄第４〜９行）
　また、第１図には、投写型カラー表示装置の構成が示されている。
甲第２号証刊行物：実願平３−６２１２８号（実開平５−６４４０号）のマイクロフィルム（以下、刊行物３という）
　液晶プロジェクタにおける各液晶モジュールを投写レンズのバックフォーカス位置に一致させるための液晶モジュール位置調整機構に着いて記載され、この位置調整機構においては、フレームに支持されたベース板にＹ軸調整板がＹ軸方向に位置調整可能に取り付けられ、Ｙ軸調整板に液晶モジュール及び偏光板を固定したＸ軸調整板がＸ軸方向に位置調整可能に取り付けられており、Ｙ軸調整板の移動を規制するねじを緩めて段付きカラーを押すことによりＹ軸調整板がＹ軸方向に位置調整され、Ｙ軸調整板の折曲げ部に締着されＸ軸調整板の折曲げ部に螺合するねじ棒を回転させることによりＸ軸調整板がＸ軸方向に位置調整されることが示されている。
甲第３号証刊行物：特開平５−１９３８６号公報（以下、刊行物３という）
　コンデンサレンズを光軸と直交する方向に位置調整する位置調整手段を有する画像合成投影装置について記載され、この位置調整機構は、基板に形成された開口の一側に液晶パネルが固定されるとともに、他側にコンデンサレンズが接触し、上下の板ばねによって開口に対して挟着されており、この板ばねの力に抗してコンデンサレンズを基板の表面に沿って移動させてレンズの位置調整をすること、あるいは板ばねの代りに固定ねじ及び圧縮ばねを用いてコンデンサレンズを基板に押し付けるようにすることが示されている。
エ．判断
（１）特許法第１７条の２について
　本件発明は、訂正により、第１可動枠が固定枠に対して左右に移動し、第２可動枠が第１可動枠に対して上下に移動するものであることが明らかになり、また、明細書の【０００５】も、本件発明に対応するように訂正がなされたので、特許出願の願書に最初に添付された明細書又は図面に記載された事項の範囲内のものとなった。よって、本件特許は、特許法第１７条の２第３項の規定に違反してなされたものではない。
（２）特許法第２９条について
　本件発明におけるリレーレンズを光路と直交する垂直面内にて移動させる調整機構は、固定枠に載置されて左右に移動する第１可動枠と、リレーレンズを具え第１可動枠に対して上下移動する第２可動枠とを具え、第１可動枠には、第２可動枠に緊密に嵌まって頭部が上を向いた調整ビスが螺合し、第１可動枠には治具が上から差し込まれる凹みが設けられ、該凹みに嵌まった治具のネジリ動作により第２可動枠が左右移動するものであるが、この点については刊行物１〜４及び参考資料２〜４のいずれにも記載されていず、また、示唆するところもない。
　刊行物３、参考資料２及び３において、固定板に対してＸ軸調整板及びＹ軸調整板を各方向に移動可能に取り付けて、ねじの回転によりＸ軸方向及びＹ軸方向の位置調整を行うことが示されているが、第１可動枠（Ｘ軸調整板）に治具が上から差し込まれる凹みを設け、凹みに嵌まった治具のネジリ動作により第２可動枠（Ｙ軸調整板）を左右移動させることを示唆するものではない。
　参考資料４において、固定枠に回転自在に設けられた偏心シャフトが可動枠側の調整孔に係合し、偏心シャフトの回転により可動枠が左右に位置調整されることが示されているが、この可動枠は一体のものであって、Ｘ軸調整板及びＹ軸調整板の２方向の可動枠の場合にこの偏心シャフトを用いた調整機構とすることは示唆されず、また、偏心シャフトの代りに治具を用いることを示唆する根拠も特にない。
　それゆえ、上記位置調整機構を有する本件発明は、刊行物１に記載された発明ではなく、また、刊行物１〜４及び参考資料２〜４に各々記載された発明に基づいて当業者が容易に発明することができたものでもない。
４．むすび
　以上のとおりであるから、特許異議申立ての理由及び証拠によっては、本件発明の特許を取り消すことはできない。
　よって、結論のとおり決定する。
【異議決定日】
平成１４年４月１１日（２００２．４．１１）
【訂正の要旨】
（３）　訂正事項
特許第３１６３０５６号発明の明細書を、訂正請求書に添付した訂正明細書の通りに、即ち、
ａ．特許掲載公報の特許請求の範囲の請求項１に於ける１２行目乃至１５行目「調整機構（５）は、シャーシ（３）に固定される固定枠（１）と〜移動する可動枠とを具え、」とあるのを、特許請求の範囲の減縮を目的として、
『調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具え、
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動し、』と訂正する。
ｂ．特許請求の範囲の記載と、発明の詳細な説明の記載との整合性をとるために、特許掲載公報の明細書【０００５】項の１行目乃至１７行目「投写装置は、〜液晶パネル（７ｂ）に入射させる。」とあるのを、明りょうでない記載の釈明を目的として、
　『投写装置は、シャーシ（３）上に、光源（３５）と、スクリーンに光を照射する投写レンズ（６７）と、投写レンズ（６７）よりも光源（３５）寄りに配備された液晶パネル（７ｂ）と、光源（３５）からの光路上に位置し、光をＲ、Ｇ、Ｂに分光するダイクロイックミラー（４５）（４６）と、Ｒ、Ｇ、Ｂの光路の内、他の光に比して光路長が長い一の光路上にて、ダイクロイックミラー（４６）と投写レンズ（６７）の間に配備され、該光を集光して投写レンズ（６７）に到達させるリレーレンズ（８）を設けている。
　シャーシ（３）上に、リレーレンズ（８）を光路と直交する垂直面内にて移動させる調整機構（５）を取り付け、
　調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具えている。
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動する。
　リレーレンズ（８）の調整移動により、液晶パネル（７ｂ）上の必要最小照射範囲に対応した照明光を液晶パネル（７ｂ）に入射させる。』と訂正する。
ｃ．特許掲載公報の明細書【００１０】項の７行目乃至８行目「第２可動枠（６）の透孔（６２）に調整ビス（４）が嵌まる。」とあるのを、明りょうでない記載の釈明を目的として、
『第２可動枠（６）の透孔（６２）に、頭部が上を向いた調整ビス（４）が嵌まる。』と訂正する。
ｄ．特許掲載公報の明細書【００１１】項の９行目乃至１２行目「リレーレンズ（８）を左右に移動するには、〜治具を差し込む。」とあるのを、明りょうでない記載の釈明を目的として、
『リレーレンズ（８）を左右に移動するには、第１可動枠（２）と固定枠（１）を締結しているビス（５０）（５０）を緩め、第１可動枠（２）の凹み（２５）と、調整孔（１４）の間にマイナスドライバ等の治具を上から差し込む。』と訂正する。
（５４）【発明の名称】
投写装置
（５７）【特許請求の範囲】
　【請求項１】　シャーシ（３）上に、光源（３５）と、スクリーンに光を照射する投写レンズ（６７）と、投写レンズ（６７）よりも光源（３５）寄りに配備された液晶パネル（７ｂ）と、光源（３５）からの光路上に位置し、光をＲ、Ｇ、Ｂに分光するダイクロイックミラー（４５）（４６）と、Ｒ、Ｇ、Ｂの光路の内、他の光に比して光路長が長い一の光路上にて、ダイクロイックミラー（４６）と投写レンズ（６７）の間に配備され、該光を集光して投写レンズ（６７）に到達させるリレーレンズ（８）を設けた投写装置に於いて、
　シャーシ（３）上に、リレーレンズ（８）を光路と直交する垂直面内にて移動させる調整機構（５）を取り付け、
　調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具え、
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動し、
　リレーレンズ（８）の調整移動により、液晶パネル（７ｂ）上の必要最小照射範囲に対応した照明光を液晶パネル（７ｂ）に入射させることを特徴とする投写装置。
【発明の詳細な説明】
　【０００１】
　【発明の属する技術分野】
　本発明は、液晶パネル等に表示された画像を、スクリーンに投影する投写装置に関するものである。
　【０００２】
　【従来の技術】
　従来より、図９に示すように、光の３原色であるＲ、Ｇ、Ｂに対応した３枚の液晶パネル（７）（７ａ）（７ｂ）を具え、これらを光源（３５）からの強い光で照射して、液晶パネルを通過した光束を合成して、画像を映し出す投写装置が提案されている。図９の投写装置は、プリズムタイプと呼ばれるものであり、シャーシ（３）内に投写レンズ（６７）の光軸を挟んで、ＢとＲに対応した液晶パネル（７ａ）（７ｂ）が互いに対向して配備されている。両液晶パネル（７ａ）（７ｂ）の間にプリズム体（３０）が配備される。プリズム体（３０）は４つの三角柱型プリズムの頂点を突き合わせて成り、内部に反射面（３１）（３２）を互いに直交させて具える。該プリズム体（３０）の側方にて投写レンズ（６７）の反対側には、Ｇに対応した液晶パネル（７）が設けられている。
　シャーシ（３）への光路入口には、光源（３５）が配備され、光源（３５）の奥部には、集光用のコンデンサレンズ（７９）が配備されている。尚、光源（３５）とコンデンサレンズ（７９）の間に、周知の如く、インテグレータ用の凸レンズ体（９）（９０）を設けてもよい（図１参照）。光路上には全反射ミラー（７５）（７６）（７７）（７８）、ダイクロイックミラー（４５）（４６）が光路方向に傾いて配備されている。ダイクロイックミラー（４５）はＢを通過させ、Ｇ、Ｒを反射する。ダイクロイックミラー（４６）はＧを反射し、Ｒを通過させる。
　【０００３】
　ダイクロイックミラー（４５）を通過したＢは全反射ミラー（７６）により反射されてＢに対応した液晶パネル（７ａ）を照射する。該液晶パネル（７ａ）を照射したＢは、プリズム体（３０）内の反射面（３２）により反射して、投写レンズ（６７）に向けて照射される。Ｇはダイクロイックミラー（４６）に反射されてプリズム体（３０）に入射し、該入射光はそのままプリズム体（３０）を通過し、投写レンズ（６７）に入射する。Ｒは全反射ミラー（７７）（７８）により反射された後に、プリズム体（３０）内の反射面（３１）に反射されて投写レンズ（６７）に入射する。即ち、投写レンズ（６７）に入射するＲ、Ｇ、Ｂは、プリズム体（３０）にて合成される。
　ここに於いて、Ｒの光路長はＧ、Ｂに比して長い。この為、光源（３５）から分光したＲが正確に液晶パネル（７ｂ）に達しない虞れがある。即ち、Ｒは拡散光であるため、光が平行なまま液晶パネル（７ｂ）に達しない虞れがある。
　この対策として、ダイクロイックミラー（４６）と液晶パネル（７ｂ）との間に、リレーレンズ（８）（８０）（８１）と呼ばれる集光レンズをシャーシ（３）に固定して取り付け、Ｒを液晶パネル（７ｂ）に正確に到達させている。
　【０００４】
　【発明が解決しようとする課題】
　シャーシ（３）に取り付けるレンズ、ミラー等の光学部品の寸法公差のバラ付き、取り付け誤差により光路が正規の位置からずれることがあり、特に光路長の長いＲはこの影響を受けやすい。即ち、Ｒの光路の終端部に位置する全反射ミラー（７８）及びリレーレンズ（８１）の取り付け誤差が光路のずれに与える影響は大きい。
　この為、液晶パネル（７ｂ）が照射されるべき必要最小範囲が、図３に実線で示すＢの範囲であるとすと、光路が正規の位置からずれたときには、入射光はＢの範囲からずれた点線Ｂ１の範囲を照射する。特に、Ｒの光路の終端部に位置する全反射ミラー（７８）及びリレーレンズ（８１）に取り付け誤差があると、このずれが大きい。
　この場合、Ｒは他の光と正確に合成せず、色むらを生じる。しかし、リレーレンズ（８）（８０）（８１）は、シャーシ（３）に固定されているから、光路に対し位置ずれ調整を行なうことができない。この為、従来にあっては、液晶パネル（７ｂ）の照射範囲を図３のＢとＢ１を含む範囲に設定していた。
　即ち、照射範囲を本来の照射範囲よりも広く設定し、照射範囲が正規の位置からずれることがあっても、合成された投写映像に色ムラ等が生じることを防止していた。スクリーン上の照度は、周知の如く、照射範囲の二乗に逆比例するから、照度は本来の照度よりも低下していた。
　然るに、斯種投写装置は、高輝度化が求められており、照射範囲が広い従来の装置ではこの要求を満たすことが出来ない。出願人はこの点に鑑みてリレーレンズ（８）（８０）（８１）の位置を調整し、液晶パネル（７ｂ）の照射範囲を必要最小範囲に設定することを着想した。
　本発明は、プリズムタイプの投写装置に於いて、高輝度化を実現することを目的とする。
　【０００５】
　【課題を解決する為の手段】
　投写装置は、シャーシ（３）上に、光源（３５）と、スクリーンに光を照射する投写レンズ（６７）と、投写レンズ（６７）よりも光源（３５）寄りに配備された液晶パネル（７ｂ）と、光源（３５）からの光路上に位置し、光をＲ、Ｇ、Ｂに分光するダイクロイックミラー（４５）（４６）と、Ｒ、Ｇ、Ｂの光路の内、他の光に比して光路長が長い一の光路上にて、ダイクロイックミラー（４６）と投写レンズ（６７）の間に配備され、該光を集光して投写レンズ（６７）に到達させるリレーレンズ（８）を設けている。
　シャーシ（３）上に、リレーレンズ（８）を光路と直交する垂直面内にて移動させる調整機構（５）を取り付け、
　調整機構（５）は、シャーシ（３）に固定される固定枠（１）と、該固定枠（１）に載置されて左右に移動する第１可動枠（２）と、リレーレンズ（８）を具え第１可動枠（２）に対して上下移動する第２可動枠（６）とを具えている。
　第１可動枠（２）には、第２可動枠（６）に緊密に嵌まった調整ビス（４）が螺合し、該調整ビス（４）は頭部が上を向いており、
　第１可動枠（２）には治具が上から差し込まれる凹み（２５）が設けられ、該凹み（２５）に嵌まった治具のネジリ動作により第２可動枠（６）が左右移動する。
　リレーレンズ（８）の調整移動により、液晶パネル（７ｂ）上の必要最小照射範囲に対応した照明光を液晶パネル（７ｂ）に入射させる。
　【０００６】
　【作用及び効果】
　本発明に係わる装置にあっては、入射光が液晶パネル（７ｂ）上の必要最小照射範囲からずれた範囲を照射しても、一のリレーレンズ（８）を光路に対し直交する垂直面内にて左右上下に調整して、光路を補正する（図２参照）。これにより、該一のリレーレンズ（８）が照射される範囲を変え、液晶パネル（７ｂ）及び投写レンズ（６７）に入射する光は必要最小の照射範囲を照らすことができる。この結果、液晶パネル（７ｂ）の照射範囲を従来に比して狭めることができ、照射されるべき画像の輝度が低下することを防止できる。
　【０００７】
　【発明の実施の形態】
　以下、本発明の一例を図を用いて詳述する。従来と同一構成については、同一符号を用いて、詳細な説明を省略する。
　図１は、本例に係わる投写装置のシャーシ（３）の平面図である。全反射ミラー（７５）（７６）（７７）（７８）、ダイクロイックミラー（４５）（４６）及びプリズム体（３０）の配置は、図９に示す従来のプリズムタイプの投写装置と同じである。全反射ミラー（７５）（７６）（７７）（７８）はシャーシ（３）の側面内側に取り付けられ、プリズム体（３０）内の反射面（３１）（３２）を通して、Ｒ、Ｇ、Ｂの液晶パネルを透過した光は正確に合成される。
　複数のリレーレンズ（８）（８０）（８１）は、従来と同様に、ダイクロイックミラー（４６）と液晶パネル（７ｂ）との間に設けられるが、その中の一のリレーレンズ（８）には調整機構（５）が取り付けられる。調整機構（５）は、リレーレンズ（８）を光路に対し直交する垂直面内にて上下又は左右に微調整する。これにより、照射範囲を本来の照射範囲に設定する。
　【０００８】
　図５は、この調整機構（５）の分解図である。調整機構（５）は、シャーシ（３）に固定される固定枠（１）と、左右に移動する第１可動枠（２）と、上下に移動可能な第２可動枠（６）とを具える。固定枠（１）、第１可動枠（２）、第２可動枠（６）は何れも金属板を折曲して構成されている。固定枠（１）は光路に直交する垂直面内に位置する垂直板（１０）と、該垂直板（１０）に直交し光路を含む面内にて水平に伸びた水平板（１１）を具え、垂直板（１０）にはリレーレンズ（８）が嵌まる開口（１２）が開設されている。水平板（１１）の両側部には、ネジ孔（１３）（１３）が開設され、先端部には後記するように第１可動枠（２）の左右調整に用いる調整孔（１４）が開設されている。また、水平板（１１）の基端部両側には、切欠き（１５）（１５）が開設され、後記する調整ビス（４）の先端は、切欠き（１５）に嵌まる。
　【０００９】
　第１可動枠（２）は、固定枠（１）の水平板（１１）に載置される横板（２０）と、横板（２０）から立設した縦板（２１）とを具え、横板（２０）には前記水平板（１１）のネジ孔（１３）（１３）に重なる第１長孔（２２）（２２）が左右に延びる。縦板（２１）には第２長孔（２３）（２３）が上下に延びて夫々開設されている。この第１長孔（２２）（２２）を通って、ネジ（５０）（５０）がネジ孔（１３）（１３）に螺合することにより、第１可動枠（２）は左右に調整可能となる。各第１長孔（２２）の外側にて、横板（２０）上にはネジ孔（２４）が開設され、横板（２０）の先端部には凹み（２５）が凹設されている。
　【００１０】
　第２可動枠（６）は、リレーレンズ（８）を具える支持枠（６０）の上端部両側から固定枠（１）に向けて突出した突板（６１）（６１）を有する。各突板（６１）には透孔（６２）が開設され、支持枠（６０）の上端部からは突軸（６３）（６３）が第１可動枠（２）に向けて突出している。突軸（６３）（６３）は第１可動枠（２）の第２長孔（２３）（２３）に嵌まり、これにより第２可動枠（６）は上下に調整可能となる。
　第２可動枠（６）の透孔（６２）に、頭部が上を向いた調整ビス（４）が嵌まる。調整ビス（４）は頭部の下側に頭部と隙間Ｌだけ離してフランジ（４０）を具え、該隙間Ｌが突板（６１）に緊密に嵌まる。この状態にて、ネジ部が第１可動枠（２）のネジ孔（２４）に螺合する。両調整ネジ（４）（４）を回転させると、第２可動枠（６）が上下に移動する。尚、第２可動枠（６）は、固定枠（１）にビス（図示せず）により締結される。
　【００１１】
　図６は調整機構（５）の正面図、図７（ａ）、（ｂ）は同上の平面図である。リレーレンズ（８）を上下に移動するには、ネジ（５０）（５０）を締め込み、第１可動枠（２）の左右移動を規制した状態にて、両調整ビス（４）（４）を回転させる。図６に示すリレーレンズ（８）を取り付けた第２可動枠（６）は、第２長孔（２３）（２３）に沿って上下に移動する。調整ビス（４）の先端は、固定枠（１）の切欠き（１５）に嵌まるから、調整ビス（４）の昇降は邪魔されない。
　リレーレンズ（８）を左右に移動するには、第１可動枠（２）と固定枠（１）を締結しているビス（５０）（５０）を緩め、第１可動枠（２）の凹み（２５）と、調整孔（１４）の間にマイナスドライバ等の治具を上から差し込む。治具をネジると、図７（ｂ）に示すように、第２可動枠（６）が左右に移動する。
　リレーレンズ（８）を左右又は上下に移動させると、図４に示すように、光路が移動する。これにより、調整機構（５）を設けたリレーレンズ（８）よりも奥側に位置するリレーレンズ（８１）上の照射範囲を変えることができる。
　【００１２】
　本例に係わる装置にあっては、入射光が本来の照射位置からずれても、図４に示すように、一のリレーレンズ（８）を光路に対し直交する垂直面内にて左右上下に調整して、光路を補正し、該一のリレーレンズ（８）が照射される範囲を変える。これにより、液晶パネル（７ｂ）に入射する光は必要最小の照射範囲を照らし、照射されるべき画像の輝度が低下することを防止できる。
　【００１３】
　尚、液晶パネル（７ｂ）を光路に対し、直交する垂直面内にて左右上下に調整する機構は、出願人が以前特開平９−６１７８２号で開示している如く、周知の機構であるから、詳細な記載を省く。
　【００１４】
　尚、照射範囲を正確に調整するものとして、全反射ミラー（７７）を調整することも考えられる。しかし、全反射ミラー（７７）を調整すると、調整機構（５）が複雑になる。即ち、全反射ミラー（７７）を上下に調整しても、照射範囲を変えることはできないから、図８に示すように光路を含む垂直面内にて全反射ミラー（７７）を調整する所謂仰り方向の調整が必要になる。
　換言すれば、全反射ミラー（７７）を左右に直線的に調整する機構のみならず、光路を含む垂直面内にて回転させる機構が必要となる。これにより、調整機構が複雑になる。
　本例にあっては、リレーレンズ（８）を調整して、仰り調整を不要とし、調整機構（５）を簡素化した。
　【００１５】
　上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
　【図１】
シャーシの平面図である。
　【図２】
リレーレンズの調整移動を示す側面図である。
　【図３】
画角のズレを示す図である。
　【図４】
リレーレンズ調整時の照射範囲の補正を示す図である。
　【図５】
調整機構の分解図である。
　【図６】
調整機構の正面図である。
　【図７】
調整機構の平面図であり、（ａ）は調整前を、（ｂ）は調整後を示す。
　【図８】
ミラーの仰り機構の側面図である。
　【図９】
従来のシャーシの平面図である。
　【符号の説明】
（３）　シャーシ
（５）　調整機構
（３５）　光源
（４５）　ダイクロイックミラー
（４６）　ダイクロイックミラー
（６７）　投写レンズ